(57)【特許請求の範囲】
【請求項１】
吸引管と、ミルク管と、搾乳器と、排気弁と、ミルク瓶と、ブレストシールドを備え、
前記吸引管は、
第１と第２の端部を有し、
前記ミルク管は、
第１と第２の端部を有し、
前記吸引管の前記第１の端部と、前記ミルク管の前記第１の端部は、
前記搾乳器に流体を通すように接続され、
前記吸引管の前記第２の端部と、前記ミルク管の前記第２の端部は、
前記ブレストシールドに流体を通すように接続され、
前記排気弁は、
前記吸引管上で前記搾乳器と前記ブレストシールドの間に流体を通すように接続され、
前記ミルク瓶は、
前記ミルク管上に、前記ブレストシールドと前記搾乳器の間で流体を通すように接続され、
隔離弁が、前記ミルク管上に、前記ミルク瓶と前記搾乳器の間で接続され、
前記吸引管の前記第２の端部、前記ミルク管の前記第２の端部および前記ブレストシールドに流体を通すように接続された吸引および母乳セパレータデバイスをさらに備え、
前記吸引および母乳セパレータデバイスは、
前記ミルク管の前記第２の端部上に逆止弁を備える搾乳器システム。
【請求項２】
前記逆止弁は、
逆止弁として働くダイヤフラムである請求項１に記載の搾乳器システム。
【請求項３】
前記排気弁と前記搾乳器の間に真空シリンダが配置されており、
前記排気弁は、
三方弁である請求項１に記載の搾乳器システム。
【請求項４】
母乳を搾取するための搾乳器システムであって、
前記搾乳器システムは、
吸引管と、ミルク管と、搾乳器と、排気弁と、吸引および母乳セパレータデバイスと、ミルク瓶と、隔離弁とブレストシールドを備え、
前記吸引管は、
第１と第２の端部を有し、
前記ミルク管は、
第１と第２の端部を有し、
前記吸引管の前記第１の端部と、前記ミルク管の前記第１の端部は、
前記搾乳器に流体を通すように接続され、
前記吸引管の前記第２の端部と、前記ミルク管の前記第２の端部は、
前記吸引および母乳セパレータデバイスに流体を通すように接続され、
前記ブレストシールドは、
前記吸引および母乳セパレータデバイス、前記吸引管および前記ミルク管に流体を通すように接続され、
前記吸引および母乳セパレータデバイスは、
前記ミルク管への接続部に配置された逆止弁を有し、
前記逆止弁は、
開位置と閉位置を有し、
前記逆止弁は、
前記吸引および母乳セパレータデバイスでの吸引が前記ミルク管での吸引よりも大きい場合に前記閉位置にあり、
前記排気弁は、
前記吸引管に流体を通すように接続されて、前記搾乳器と前記吸引および母乳セパレータデバイスの間に配置され、
前記排気弁は、
排気口と前記ミルク管に流体を通すように接続され、
前記ミルク瓶は、
前記ミルク管上で、前記吸引および母乳セパレータデバイスと前記隔離弁の間に流体を通すように接続され、
前記隔離弁は、
前記ミルク管上で、前記ミルク瓶と前記搾乳器の間に流体を通すように接続されている搾乳器システム。
【請求項５】
前記排気弁と前記搾乳器の間に真空シリンダが配置されている請求項４に記載の搾乳器システム。
【請求項６】
前記搾乳器には電源とマイクロプロセッサが接続されている請求項５に記載の搾乳器システム。
【請求項７】
前記搾乳器には電源とマイクロプロセッサが接続されている請求項４に記載の搾乳器システム。
【請求項８】
前記ミルク瓶内の母乳のレベルを感知するために、複数のセンサが前記ミルク瓶に近接して配置されており、
前記センサは、
データを記憶する前記マイクロプロセッサに接続されている請求項６に記載の搾乳器システム。
【請求項９】
前記ミルク瓶内の母乳のレベルを感知するために、複数のセンサが前記ミルク瓶に近接して配置されており、
前記センサは、
データを記憶する前記マイクロプロセッサに接続されている請求項７に記載の搾乳器システム。
【請求項１０】
前記吸引管と前記ミルク管が、容易な保存と洗浄のために、前記排気弁、真空シリンダおよび前記搾乳器から切り離される請求項９に記載の搾乳器システム。
【発明の詳細な説明】
【技術分野】
【０００１】
本発明は、母乳を搾取して保存するための低容量および低ノイズ搾乳構成を有し、母乳の保存と搾乳器の位置が乳房から離れている搾乳器システムに関する。
【背景技術】
【０００２】
従来技術の搾乳システムは、ユニットの制御のためにはノブか上下ボタンのいずれかに限られていた。吸引用の１つと速度用の１つの、二重制御を有するシステムもあるが、多くのシステムは１つのみの制御部を有する。それらは一般にメモリデバイスを備えないか、または、単一の予め決まった設定に限定された。従来技術の搾乳システムは、生成する母乳の量、快適さレベルまたは任意のその他の定量化可能な値に対して搾乳器設定（吸引、サイクルタイム）を相関させない。市販の従来技術のシステムは、搾取された母乳を、ブレストシールドの底部に直接接続された容器に保存する。これは、ユーザが、自身の乳房から瓶をうまく垂下させるということを意味し、それは、搾乳を慎重に行うことを可能にしない。これは、ユーザにとって非常に違和感がある。さらなる苦情は、従来技術のブレストシールドは硬質プラスチック製であり、快適でないということである。以下の従来技術の装置のいずれも、本発明が行うことを行わない。
【０００３】
従来技術の搾乳器に関する１つの苦情は、それらが騒々しく、脈動機械音を発するということである。搾乳器が大きければ大きいほど、生じるノイズも大きくなる。本発明は、生じるノイズがより少ない、より小型の搾乳器が用いられることを可能にする低容量搾乳器システムを提供する構成を有する。さらに、本発明は乳房から離れところに母乳を保存し、搾乳器を配置する。
【０００４】
既知の従来技術の装置の例は、参照により本明細書に組み込まれる、以下に列挙する参考文献に記載される。特許文献１、特許文献２、特許文献３および特許文献４は、母乳を搾乳器に通過させる搾乳器を有する。この場合搾乳器を使用する度に洗浄しなければならないため望ましくない。特許文献５は吸引でなく重力を用いて母乳を収集するため、曲がったり横たわったりすることによって容易に不具合になり得る。特許文献６は、単一の真空ラインを備えてそれが母乳の収集にも用いられる。母乳は搾乳器内に溜まり得るため、搾乳器は使う度に洗浄されなければならない。上記の参考文献はいずれも、母乳容器と搾乳器が乳房から離れている、低容量搾乳器構成を備えた、本件でクレームされる搾乳器システムを開示していない。
【先行技術文献】
【特許文献】
【０００５】
【特許文献１】米国特許第５，６１６，１２５号明細書
【特許文献２】米国特許第７，８３３，１９０号明細書
【特許文献３】米国特許出願公開第２０１２／０，２７７，７２８号明細書
【特許文献４】米国特許出願公開第２００６／０２７０，９７３号明細書
【特許文献５】米国特許第６，３７９，３２７号明細書
【特許文献６】米国特許第６，４４０，１００号明細書
【発明の概要】
【発明が解決しようとする課題】
【０００６】
本発明は改良された搾乳器システムに関し、この搾乳器システムは、低減されたノイズと、電源と、ブレストシールドと、母乳収集瓶と、搾乳器と母乳収集瓶に取り付けられて、搾乳器の設定と母乳量に関するデータを受け取り処理するマイクロプロセッサを有する改良された搾乳器を備えている。
【０００７】
本発明はさらに、軟性プラスチックまたはシリコーン製であり、授乳時の乳児の口に類似するように構成された改良されたブレストシールドに関する。
【課題を解決するための手段】
【０００８】
本発明は、より少ないノイズを生じる、より小型の搾乳器が用いられることを可能にする低容量搾乳システムを提供する構成である。搾乳器は、連続的な搾乳向けに構成され、それはさらに、スイッチオンオフに由来するノイズを減少させる。さらに、本発明は、乳房から離れた母乳の保存と搾乳器の位置決めを可能にする。
【０００９】
搾乳器システムは、吸引管と、ミルク管と、搾乳器と、三方排気弁と、ミルク瓶と、隔離弁とブレストシールドを備え、前記吸引管は、第１と第２の端部を有し、前記ミルク管は、第１と第２の端部を有し、前記吸引管の前記第１の端部と、前記ミルク管の前記第１の端部は、前記搾乳器に流体を通すように接続され、前記吸引管の前記第２の端部と、前記ミルク管の前記第２の端部は、前記ブレストシールドに流体を通すように接続され、前記三方排気弁は、前記吸引管上で前記搾乳器と前記ブレストシールドの間に流体を通すように接続され、前記ミルク瓶は、前記ミルク管上に、前記ブレストシールドと前記搾乳器の間で流体を通すように接続され、前記隔離弁は、前記ミルク管上で前記ミルク瓶と前記搾乳器の間に接続される。
【００１０】
本発明のさらなる適用分野は、以降に提供される詳細な説明から明らかとなろう。詳細な説明と特定の例は、本発明の好ましい実施形態を示しているが、例示目的のみのためであり、本発明の範囲を限定する意図はないことを理解すべきである。
【図面の簡単な説明】
【００１１】
本発明は、詳細な説明と添付の図面からより完全に理解されよう。
【図１】本発明の搾乳器システムの使用の流れ図である。
【図２】本発明の搾乳器システムの一実施形態のブロック図である。
【図３−１】本発明の搾乳器システムの一実施形態の第１の模式図である。
【図３−２】本発明の搾乳器システムの一実施形態の第２の模式図である。
【図４】本発明の搾乳ブラの正面斜視図である。
【図５】乳房に係合した本発明の搾乳ブラの一部を切り取った側面からの透視図である。
【図６】本発明の搾乳ブラの後方から一部を切り取った透視図である。
【図７】本発明の吸引および母乳セパレータデバイスの一部を切り取った側面からの透視図である。
【図８】本発明のミルク瓶を伴うレベルセンサの図である。
【発明を実施するための形態】
【００１２】
以下の好ましい実施形態（複数の場合あり）の説明は本質的に例示のためのみであり、本発明、その用途または用法を限定するものではない。
【００１３】
図１の流れ図は、ステップ１２で、搾乳器システムを、ｉＰａｄ（登録商標）またはスマートフォン等のモバイルデバイスを用いて、またはデバイス自体の制御装置によって制御することを示している。ステップ１４で、搾乳器は搾乳を開始し、ステップ１６で、吸引生産量および搾乳速度等の搾乳パラメータが記録される。ステップ１８で、搾乳は完了して停止する。ステップ２０で、搾乳器システムは搾乳され保存された母乳の総量を記録する。ステップ２２で、モバイルデバイスは搾乳器からデータをダウンロードする。ステップ２４で、モバイルデバイスは、データを保存し分析するオンラインサービスにデータをアップロードする。ステップ２６で、搾乳器のユーザは保存されたデータをレビューできる、またはステップ２８で、アップロードされたデータが分析される。
【００１４】
図２のブロック図は、本発明の搾乳器システムの一実施形態である。搾乳器ハウジング内には、マイクロプロセッサ１２８とブルートゥース（登録商標）ＬＥラジオに接続されたオンボードユーザインターフェース１２６がある。マイクロプロセッサには、電池電源１３０と、センサ１３２と搾乳およびソレノイド弁制御装置１３４も接続されている。
【００１５】
図３−１、３−２および７の図では、搾乳器システム１００の一実施形態は、電源３００とマイクロプロセッサ２９０に取り付けられた真空搾乳器１５０を有する。真空搾乳器１５０の吸引部には、真空シリンダ１６０が流体を通すように取り付けられている。真空シリンダには、排気弁１７０が流体を通すように取り付けられている。好ましい実施形態では、排気弁１７０はソレノイド弁である。排気弁１７０は、図３−２のように三方排気弁であってもよいし、または図３−１のように１つの逆止弁１７５を伴う二方排気弁１８５であってもよい。排気弁１７０には、オプションのサイレンサを備えた排気口１８０とマニホールド１９０も取り付けられている。好ましい実施形態では、マニホールド１９０は、３つの取付口を有する三方コネクタであり、取付口のうち１つは排気弁１７０に流体を通すように取り付けられている。第２の取付口には、第１の端部２０１と第２の端部２０２を有する吸引管２００が流体を通すように取り付けられている。第１の端部２０１は、搾乳器に流体を通すように取り付けられたマニホールド１９０に取り付けられている。図７に示すように、第２の端部２０２は吸引および母乳セパレータデバイス２１０に流体を通すように取り付けられている。３つの取付部のうち第３の取付口にはミルク管２３０が流体を通すように取り付けられ、ミルク管は第１の端部２３１と第２の端部２３２を有する。第１の端部２３１は、第３の取付口でマニホールド１９０に流体を通すように取り付けられている。
第２の端部２３２には、吸引および母乳セパレータデバイス２１０が流体を通すように取り付けられている。吸引および母乳セパレータデバイス２１０は３つのポートを有する。第２の端部２０２および２３２は２つのポートに取り付けられ、ブレストシールド２２０は第３のポートに取り付けられる。好ましくは、吸引および母乳セパレータデバイス２１０はミルク管２３０への吸引の流れを遮断するように機能する逆止弁を有する。好ましい実施形態では、この逆止弁はダイヤフラム２１１である。第１の端部２３１および第２の端部２３２の間には、オプションで蓋２４０を備えたミルク瓶２５０がある。ミルク瓶２５０とマニホールド１９０の間には、ミルク瓶２５０内の真空状態を維持する隔離弁２６０が配置されている。好ましい実施形態では、隔離弁２６０はソレノイド弁である。吸引管２００とミルク管２３０には、吸引および母乳セパレータデバイス２１０に取り付けられるブレストシールド２２０が流体を通すように取り付けられている。ブレストシールド２２０は、吸引が施されるにつれ、シールドが乳房の形状に快適に適応できるように、可撓性で軟質の材料から成形される。
【００１６】
任意選択的に、吸引管２００とミルク管２３０はそれぞれコネクタ２７０および２８０を有してもよい。これは、ブレストシールド２２０とミルク瓶２５０が、洗浄のためにデバイスのその他の部分から切り離されることを可能にする。好ましい実施形態では、搾乳器システム１００の切り離された残りの部分は、利便性のため搾乳器ハウジング（図示せず）内に封入される。
【００１７】
さらに任意選択的に、第２のブレストシールド（図示せず）は、両乳房が同時に搾乳され得るように、ミルク管と吸引管に流体を通すように取り付けられてもよい。
【００１８】
図４は、着脱自在なブラカップ４１０ならびにミルク管２３０および吸引管２００を有する搾乳ブラ４００の一実施形態を示す。図５は、乳房５００と乳首５１０に宛がわれたブレストシールド２２０とブラカップ４１０の側面破断図を示す。吸引および母乳セパレータデバイス２１０は、ミルク管２３０と吸引管２００に接続されている。図６は、組み立てられたブラカップ４１０、着脱自在な乳房パッド４１１、ブレストシールド２２０、およびミルク管２３０と吸引管２００が取り付けられた吸引および母乳セパレータデバイス２１０の後面破断図を示す。
オペレーションの方法：３サイクル
１．搾乳
排気弁１７０は、排気口１８０に対しては閉じ、マニホールド１９０と真空搾乳器１５０に対しては開いてそれらと流体を通すように接続しており、吸引が吸引管２００に適用される。隔離弁２６０は閉じており、マニホールド１９０を介したミルク瓶２５０への吸引を遮断している。真空搾乳器１５０は搾乳し、吸引管２００と吸引および母乳セパレータデバイス２１０を介してブレストシールド２２０に吸引を施す。この低い圧力（施された吸引）は吸引および母乳セパレータダイアフラム（逆止弁として働く）を閉じた状態に保持し、ミルク管２３０への吸引を遮断する。
２．半排気
排気弁１７０は切り替わって排気口１８０をマニホールド１９０に対して開け、真空搾乳器１５０への接続を閉じる。同時に、隔離弁２６０は開いて、ミルク瓶２５０とミルク管２３０に吸引が施されることを可能にする。吸引管２００はミルク管より低圧の状態であり、故にミルク管２３０とミルク瓶２５０の圧力が降下する。このステップは非常に短いため（−０．２秒）、ミルク瓶２５０の圧力は降下するが、排気口１８０を介した大気と均衡するほど長くは続かない。真空搾乳器１５０は遮断されるが、稼動し続け、マニホールドと真空搾乳器の間に配置された真空シリンダ１６０内の真空度を上げる。
３．最終排気
隔離弁２６０が閉じる。ミルク瓶２５０に低圧が残る。吸引管２００からの真空は、排気口１８０と排気弁１７０を介して、圧力が外気圧と均衡するよう上昇するまで排気し続ける。均衡が発生すると、吸引および母乳セパレータデバイス２１０内のダイヤフラムは、吸引管２００の低圧により閉じた状態を保持されず、ミルク瓶２５０内のより低い圧力によって開く。搾取された母乳はブレストシールド２２０およびミルク管２３０を介してミルク瓶２５０に引き寄せられる。真空搾乳器１５０は稼動し続け、真空シリンダ１６０内の真空度を上げる。
搾乳、半排気および最終排気ステップは繰り返される。サイクルタイムは典型的に５秒未満である。好ましい実施形態では、サイクルタイムは約１から４秒である。より好ましい実施形態では、サイクルタイムは約０．５から２．０秒である。後続の搾乳ステップで、マニホールド１９０を真空シリンダ１６０と真空搾乳器１５０に接続するための排気弁１７０のスイッチを介して、真空シリンダ１６０から蓄積された低圧力が吸引管２００に迅速に適用される。この真空ブースト機能は、真空搾乳器によって圧送されなければならない空気量を減少させるため、システムに効率を付与する。
【００１９】
吸引および母乳セパレータデバイス２１０は、ブレストシールド２２０の直近に配置されている。吸引および母乳セパレータデバイス２１０は、ミルク管に流入する母乳と、吸引管からの気流との分離を実施するために存在する。このデバイスは３つのポートを有する。ブレストシールド２２０は正面の大きなポートに取り付けられる。吸引管２００は頂部のポートに取り付けられ、ミルク管２３０は底部の中心に配置されたポートに取り付けられる。吸引は母乳を下方に引き寄せて吸引および母乳セパレータデバイス２１０の底部に収集させ、底部で母乳はミルク管２３０を通ってミルク瓶２５０に流入する。逆止弁またはダイヤフラム２１１は、母乳が吸引および母乳セパレータデバイス２１０の頂部の吸引ポートに達することがないように、吸引および母乳セパレータデバイス２１０の内部に配置され得る。
【００２０】
ブレストシールド２２０は、乳首に密封接続して吸引を乳首に伝え、搾取された母乳の流れを、乳房から遠ざけ、吸引および母乳セパレータデバイス２１０に向う方向に導く。本発明のブレストシールドは、乳児の口の感触と動作を模倣するように設計されている。シールドは軟質のシリコーンゴムまたはプラスチックポリマー製であり、乳首を、乳児の口や舌と同じ方式で刺激するように設計される。
【００２１】
真空シリンダの使用は、真空シリンダ未使用の場合に必要とされるよりも小型で静かな搾乳器の使用を可能にする。圧力容器は、真空保存リザーバとして働く。搾乳器はサイクル中ずっと稼動したままであるため、排気弁はマニホールドと搾乳器に対して開いて排気口を閉じて、システムに真空を提供する。排気弁が搾乳器に対して閉じて排気口とマニホールドに対して開くと、システムは排気されるが、圧力容器は例外であり、圧力容器はさらに、連続稼動している搾乳器によって真空化される。排気弁が排気口に対して閉じてマニホールドと搾乳器に対して開くと、より小型で静かな搾乳機ではあるが、圧力容器におけるより低い圧力が、システムに対して真空ブーストを提供し、搾乳器は、スイッチを切り替えながらというより連続して稼動する。
【００２２】
本発明の搾乳器システムは、ユーザのスマートフォンまたはその他のデジタルデバイス上のアプリによって、またはフロントパネルディスプレイおよび制御装置によってワイヤレスに制御され得る。リモートアプリは、ユーザに、非常に詳細な設定（搾乳曲線、詳細なサイクルタイミング等）の制御を有するというオプションを提供する、または設定の単純な単一のシングルスライダベースの制御を可能にする。さらに、搾乳器システムは、所与の搾乳セッション中に生成された母乳の量の詳細を捕捉する。このデータは、保存、分析および検索のための表示のために、アプリからインターネットクラウドサービスにアップロードされる。アプリはさらに、多数のアプリが必要ないように、搾乳期間、授乳頻度およびオムツ取替えを追跡してもよい。
【００２３】
図８に示すように、母乳レベルセンサ３２０は、搾取される母乳の量を決定するために用いられ得る。図８に示すように、母乳レベルセンサ３２０は、搾乳器ハウジング３１０の内部に配置され、ミルク瓶２５０の高さにわたっている。瓶は、瓶とセンサの間の空隙が最小化されるように固定されている。センサ電極は瓶に平行であり瓶に面している。好ましい実施形態では、母乳の搾乳を乳房毎に独立して追跡できるように、１つの瓶につき１つのセンサ、また、１つの乳房につき１つの瓶が存在する。
【００２４】
好ましいセンサの一例が、参照により本明細書に組み込まれる、米国特許出願公開第２０１６／０，００３，６６３Ａｌ号明細書に開示されている。
【００２５】
マイクロプロセッサ２９０は、搾取された母乳の量を計算できる。好ましい実施形態では、母乳レベルセンサ３２０は、母乳の濃度、母乳の固形成分に関する取れ高情報を計算するために、ロードセルと組み合わされて搾取された母乳の重量を測定してもよい。
【００２６】
搾乳器システム１００は、ユーザによって入力されるカスタム設定を有してもよい。新規ユーザにとって役立ち得るオプションの予備設定が設けられてもよい。これは、新米ママに、搾乳器を与えられてガイダンスなしに搾乳を始めるように告げるのではなく、より良い出発点を提供する。搾乳器は、より小さい搾乳器が用いられ得るため、現在用いられているものよりもずっと静かである。好ましい実施形態では、従来型のダイヤフラム搾乳器を用いるのではなく、ブラシレスモータが用いられる。別の好ましい実施形態では、本質的により静かなリニア搾乳器モータが用いられる。別の好ましい実施形態では、搾乳器がオンオフ操作されるのではなく、吸引を増強する真空シリンダが搾乳器とともに用いられて搾乳器が連続的に稼動することを可能にし、それによって、より小型の（したがってより静かな）モータが用いられることを可能にする。本発明の搾乳器システムは、収集瓶と、管の長さによってブレストシールドに流動的且つ遠隔に接続された搾乳器を有する。好ましい実施形態では、衣料と肌着がシールドと管をカバーして係合する。これは、婦人用シャツの下に装着され得る個別のシステムを提供する。
【００２７】
図４、５および６に示すように、この改良された製品は、女性が搾乳時にシャツを脱がなくてもよいという裁量を提供する。好ましい実施形態では、ブレストシールドを保持する衣料は乳首と係合している。この衣料はスリーインワン式コンバーチブル肌着である。衣料は以下の目的に役立つ：（１）以下に詳述するブレストシールドを「快適な」部分で収容するとともに、上記の管を収容する、（２）現行の授乳ブラと同様な着脱自在なカップを有する、（３）搾乳が完了したときに漏れた母乳が見えないように、内蔵式乳房パッドを有する。これらの乳房パッドは、ブラのライニングとしても働く。
【００２８】
このブラを可能にする着脱自在なカップが、搾乳ブラから授乳ブラに継ぎ目なく移行させることにも注目すべきである。
【００２９】
管経路はブラカップに縫い込まれている。これらの管は、洗浄しやすいように着脱自在になっている。これらの管はユーザの上体にぶら下がる。上記のように、一方の組の管が母乳収集瓶に接続し、他方の組が真空搾乳器に接続する。側部から、ブラはブラのカップ内に隠される多数のピースからなる。これらのピースは、外側のブラカップ４１０、吸引および母乳セパレータデバイス２１０、ブレストシールド２２０および着脱自在な乳房パッド４１１を含む。
【００３０】
実施形態は、本発明の原理とその実用的用途を当業者に最適に説明するために選択され説明された。対応する図示を参照して上記で説明した例示的実施形態に、本発明の範囲から逸脱せずに種々の変更がなされ得るため、前述の説明に含まれ、添付の図面に示された全ての事項は、限定というよりは例示的と解釈されるべきであることを意図している。したがって、本発明の広がりと範囲は、上述の例示的実施形態のいずれによっても限定されず、本明細書に添付された以下の特許請求の範囲およびそれらの均等物によってのみ規定されるべきものとする。
【図１】
0006584645.tif 000002
【図２】
0006584645.tif 000003
【図３−１】
0006584645.tif 000004
【図３−２】
0006584645.tif 000005
【図４】
0006584645.tif 000006
【図５】
0006584645.tif 000007
【図６】
0006584645.tif 000008
【図７】
0006584645.tif 000009
【図８】
0006584645.tif 000010